(57)【要約】【課題】オゾンに有機物の分解効果及び消臭効果があることに着目して、オゾンと温風及び送風を有効的に出して靴内の滅菌処理と臭いの消臭分解及び乾燥を行い、靴が皺や変形しにくく、衛生的で快適な靴内滅菌消臭乾燥器を提供する。【解決手段】本発明は、オゾン発生装置と温風を作るヒーターと送風するためのファンを内蔵する本体１と前記オゾンと温風及び送風を行う吐出パイプ２とで構成される靴滅菌消臭乾燥器であって、吐出パイプ２に前記オゾンと温風及び送風を効率的に排気する排気用溝９を有している。【選択図】  図３
2008281318.tif 000002
【特許請求の範囲】
【請求項１】
オゾン発生装置、温風発生装置及び送風ファンを内蔵した本体と、当該本体上に設けられ、靴を保持する中空の吐出パイプとを有し、
前記吐出パイプは、前記本体の内部と連通しており、前記送風ファンによって送られるオゾン、温風及び送風を前記保持された靴の内部に吐出する吐出部と、当該吐出部から吐出されたオゾン、温風及び送風を前記靴の外部に排気するための排気用溝とが形成されている、
ことを特徴とする靴内滅菌消臭乾燥器。
【請求項２】
前記吐出パイプは、前記本体に対して傾斜して形成されていることを特徴とする請求項１に記載の靴内滅菌消臭乾燥器。
【請求項３】
前記吐出パイプには、前記靴の有無を検知するための靴感知センサを有し、当該靴感知センサによって前記靴が前記吐出パイプに設置されていない場合は、前記オゾン発生装置、温風発生装置及び送風ファンを作動しないように制御されていることを特徴とする請求項１又は２に記載の靴内滅菌消臭乾燥器。
【請求項４】
前記本体内に設けられた温風発生装置から発せられる温風の温度を検知するための温度センサを有し、当該温度センサによって、設定以上の温度になったものと検知した場合は、前記温風発生装置の作動を停止するように制御されていることを特徴とする請求項１乃至３のいずれか１つの項に記載の靴内滅菌消臭乾燥器。
【請求項５】
前記オゾン発生装置と温風発生装置とは同時に作動しないように制御可能であることを特徴とする請求項１乃至４のいずれか１つの項に記載の靴内滅菌消臭乾燥器。
【発明の詳細な説明】
【技術分野】
【０００１】
本発明は、作業靴、安全靴、長靴及び革靴等の靴内の細菌を滅菌処理し、臭いを分解除去する靴内滅菌消臭乾燥器に関する。
【背景技術】
【０００２】
一般に、長時間履いた後の作業靴、安全靴、長靴及び革靴内の臭いは、靴内に人体の汗が溜まり、連続して使用されることで、更に汗が蓄積し、細菌類の発生で発酵したようになり、独特の異臭を発生することが多い。長時間同じ靴を使用することで、夏場は言うまでもなく、冬場にも異臭が発生する事がある。これに作業時の水の浸入や雨天や雪による水分が重なると、更に強烈な異臭になる場合があった。
【０００３】
このため、従来から靴内の異臭を除去するための種々の装置が開発されている。例えば特許文献１では設置スペースを考慮し、充電式の装置として靴に差し込み、短い靴をかけるように設計されているオゾン脱臭器が提案されている。
また、特許文献２では、食品工場の長靴の一斉乾燥消臭を対象としたオゾン消臭器が提案されている。
【０００４】
また、特許文献３及び特許文献４では、温風の吹出口が筒状に形成され、左右の靴を片方ずつ差し込めるように構成されている靴乾燥器が提案されている。靴乾燥器は、靴乾燥器は靴の中の湿気を取り除く事ができるので、乾燥させることで靴内の異臭の発生を予防することができる。
また、特許文献５では、靴乾燥器の本体内に香料組生物を霧化して発生させる芳香発生室を設けたものも知られている。この場合、靴乾燥時に靴の独特の匂いを発生させることを防ぎ、且つ靴に付いている足の臭いに対して、他の匂いでマスキングして臭いを薄める効果を付与できることが開示されている。
【０００５】
さらに、本出願人は、本体と、前記本体内に設けられたオゾン発生装置と、前記本体内に設けられた温風発生装置と、前記オゾン発生装置によって発生したオゾンを吐出するオゾン吐出パイプと、前記オゾン吐出パイプを収容し、前記温風発生装置によって発生した温風を前記オゾンとともに吐出する温風吐出パイプと前記温風吐出パイプの先端に着脱され、靴を保持して前記靴にオゾン及び温風を当てるヘッドとを有することを特徴とする靴内滅菌消臭乾燥器について実用新案登録出願を行い、実用新案登録されている（特許文献６参照）。
【特許文献１】特開平１０−１３７００７号公報
【特許文献２】特開２００２−１７２１５２号公報
【特許文献３】実開平５−６３４６１号公報
【特許文献４】実用新案登録第３０２１５２８号公報
【特許文献５】特開平６−１８１８７８号公報
【特許文献６】実用新案登録弟３１２６７０８号公報
【発明の開示】
【発明が解決しようとする課題】
【０００６】
しかし、これら従来の技術では、長い靴等には差し込み部分が短く、機器の重量で靴の形状が変形する事がある。同時に靴内の乾燥を行うには熱をかけるだけのため、靴内を満遍なく乾燥させることに適していない。更に従来の靴を乾燥する目的の靴乾燥器は、靴を乾燥させる課程で靴から発生する臭いには対応できない。または、芳香の発生によって異臭をマスキングするものであり、乾燥時に発生する悪臭そのものを消臭する事はできない。いずれの機器も設置方法によっては、利用できる靴の種類に限界があった。
また、いずれの機器もオゾン及び温風を送り込むことは考えられているが、消臭及び乾燥の効率を向上するための排気もしくはオゾン及び温風の流動システムが施されていないため、送風機に負荷がかかるか、もしくは乾燥効率が良くなかった。
【０００７】
また、革製の靴の場合は熱をかけて乾燥させると収縮が起こり、靴の大きさが変化し、反り返ったりする事がある。そして、多くの靴を一斉に設置して消臭乾燥することはよいが、反面、設置する靴が無い部分からはオゾンガスが空中に放散される。オゾンが消臭するべき気体や汗等の液体と接触できない場合は、機器本体や人を含む周囲に対してオゾンガスの悪影響が考えられる。
【０００８】
さらに、特許文献６では、特に長い靴の場合、オゾン、温風及び送風が靴内にこもってしまい、排気効率が悪くなるという課題があった。
【０００９】
本発明は、上記課題を解決するために、オゾンに有機物の分解効果及び消臭効果があることに着目して、オゾンと温風及び送風を有効的に出して靴内の滅菌処理と臭いの消臭分解及び乾燥を行い、靴が皺や変形しにくく、衛生的で快適であり、かつ、オゾン、温風及び送風の排気効率を向上させた靴内滅菌消臭乾燥器を提供することを目的とする。
【課題を解決するための手段】
【００１０】
本発明の靴内滅菌消臭乾燥器は、オゾン発生装置、温風発生装置及び送風ファンを内蔵した本体と、当該本体上に設けられ、靴を保持する中空の吐出パイプとを有し、前記吐出パイプは、前記本体の内部と連通しており、前記送風ファンによって送られるオゾン、温風及び送風を前記保持された靴の内部に吐出する吐出部と、当該吐出部から吐出されたオゾン、温風及び送風を前記靴の外部に排気するための排気用溝とが形成されていることを特徴とするものである。
【００１１】
前記吐出パイプは、前記本体に対して傾斜して形成されているのが好ましい。
前記吐出パイプには、前記靴の有無を検知するための靴感知センサを有し、当該靴感知センサによって前記靴が前記吐出パイプに設置されていない場合は、オゾン発生装置、温風発生装置及び送風ファンを作動しないように制御されるように構成してもよい。
前記本体内に設けられた温風発生装置から発せられる温風の温度を検知するための温度センサを有し、当該温度センサによって、設定以上の温度になったものと検知した場合は、前記温風発生装置の作動を停止するように制御されるように構成してもよい。
【００１２】
前記オゾン発生装置と温風発生装置とは同時に作動しないように制御可能であってもよい。
【発明の効果】
【００１３】
上述の様に、本靴内滅菌消臭乾燥器は、洗浄した靴または、履いて内部が湿った靴を乾燥させ、その乾燥課程で発生する臭いをオゾンで消臭するための前記吐出パイプは前記オゾン及び温風の排出効果を向上するためのオゾン、温風及び送風を吐出するための吐出部を有し、同時に前記吐出パイプは前記オゾン及び温風の排気効率を向上するための排気用溝を有しており、前記送風ファンに負荷を掛けずに安定した排気効率を実現し、革靴には送風で乾燥することで皺や変形を抑制できる。
【００１４】
また、靴感知センサで靴が無い場合や靴が吐出パイプから外れた場合に自動停止し、温風を作る温風発生装置で設定された温度を超えた場合にも温度センサにより自動停止することで、安全な靴内滅菌消臭乾燥器を提供できる。
【発明を実施するための最良の形態】
【００１５】
以下、本発明の実施例を図面に基づいて説明する。図１は、本発明の実施例を示す正面図、図２はその背面図、図３は靴を保持している状態の側面図、図４はその側面図、図５は本体内の構造を示す上部概略図、図６は本発明の正面方向からの斜視図、図７は本発明の背面方向からの斜視図である。
本発明の実施例に係る靴内滅菌消臭乾燥器は本体１と、本体１上に設けられ、靴１８（図３参照）を保持する中空の吐出パイプ２とを有する。
本体１の内部には、オゾン発生装置１２、温風発生装置１１及び送風ファン１３が内蔵されている。
【００１６】
吐出パイプ２は、本体１の内部と連通しており、送風ファン１３によって送られるオゾン、温風及び送風を靴１８の内部に吐出する吐出口５及び吐出スリット６と、吐出されたオゾン、温風及び送風を靴１８の外部に排気するための排気用溝９とが形成されている。
【００１７】
排気用溝９は、吐出パイプ２の側壁に長手方向に沿って上部から下部に延びており、靴１８の下部を超えて形成されているため、オゾン、温風及び送風の排気効率を著しく向上させることができる。
吐出スリット６は、靴１８にオゾン及び温風を当てるため多くの孔を配して形成されている。
【００１８】
本靴内滅菌消臭乾燥器は２つの吐出パイプ２を備えており、一組の靴ずつ処理することができ、吐出パイプ２は長靴の長さ（例えば長さ４５ｃｍ程度）に設定されており、保持可能な靴１８の種類は革靴から長靴及び革靴まで対応できる構造となっている。
【００１９】
本体１の前面には、操作パネル３及び空気取り入れ部及びフィルター４を有する。操作パネルにはオゾン発生と送風スイッチ、オゾン発生と温風スイッチ、オゾン発生と送風スイッチ及び電源スイッチが設置されており、靴の種類と靴内湿度状態に応じた滅菌消臭乾燥レベルを選択できる。また、本体１の上部には部品交換とメンテナンスを行うためのメンテナンス用蓋１５が取り付けられている。
【００２０】
図２、図３及び図４の示されている吐出パイプ２には、オゾン、温風及び送風吐出口５とオゾン、温風及び送風吐出スリット６を有し、送られてくるオゾン、温風及び送風を効率よく吐き出す形状になっており、更に排気するための排気用溝９を有していることで、送風ファン１３に余分な負荷を掛けずに効率よく処理できる。
【００２１】
図５に示されている本体１の内部には、温風発生装置１１、オゾン発生装１２、送風ファン１３と吐出パイプ２を接続するユニット設置ボックス１６を有しており、吐出パイプ２は排気用溝９の形状により、重い長靴の設置にも耐えられる構造になっている。
【００２２】
図３及び図４に示されている吐出パイプ２の先端部分は、靴の設置と取出しが容易になるように本体１に対して所定角度傾斜して広角に設定されている。
【００２３】
上述の様に、本靴内滅菌消臭乾燥器では、洗浄した靴または、履いて内部が湿った靴を乾燥させ、その乾燥課程で発生する臭いをオゾンで消臭するための吐出パイプ２は、オゾン及び温風の排出効果を向上するためのオゾン、温風及び送風を吐出するための吐出口５及び吐出スリット６を有し、同時に吐出パイプ２はオゾン及び温風の排気効率を向上するための排気用溝９を有しており、送風ファン１３に負荷を掛けずに安定した排気効率を実現できる。
また、革靴には送風で乾燥することで皺や変形を抑制し、一組ずつ処理でき、ヘッド部分にある靴感知センサ８で靴が無い場合や靴が吐出パイプ２から外れた場合に自動停止し、温風を作る温風発生装置１１で設定された温度を超えた場合にも温度センサ１７により自動停止することで、安全な靴内滅菌消臭乾燥器を提供できる。
【００２４】
また、靴の種類を選ばないように、靴を上部からかぶせるように設置できる筒状の吐出パイプ２では、靴１８をかぶせる先端のヘッド部は直角以上の広角になっており、短靴から長靴まで多岐にわたる靴の種類に対応できるように形成されている。
オゾン、温風及び送風を送り出した後の排気効率を上げるために吐出パイプ２に排気用溝９を設けることで、靴の大きさや長さによって排気量が抑制されることによる送風ファン１３にかかる負荷を軽減できる。
本発明の靴内滅菌消臭乾燥器では、オゾン発生装置１２と温風発生装置１１とは同時に作動しないように制御可能であってもよい。例えば、革靴の乾燥時には温風を使用しないで、オゾン風及び送風によって乾燥を行うことで革靴が皺になりにくく変形しにくくなる。
【産業上の利用可能性】
【００２５】
以上の記載のごとく、本発明の靴内滅菌消臭乾燥器は、オゾン、温風及び送風を効率よく吐出することと、排気効率を向上する排気用溝を有する吐出パイプにより、湿った靴を滅菌消臭乾燥し、更に、洗浄した長靴や濡れた革靴を滅菌消臭乾燥すると共に、皺や変形から守る理想的な靴内滅菌消臭乾燥器である。
【図面の簡単な説明】
【００２６】
【図１】本発明の実施例を示す正面図である。
【図２】本発明の実施例を示す背面図である。
【図３】靴を保持している状態の本発明の実施例を示す側面図である。
【図４】本発明の実施例を示す側面図である
【図５】本体内の構造を示す上部概略図である。
【図６】本発明の正面方向からの斜視図である。
【図７】本発明の背面方向からの斜視図である。
【符号の説明】
【００２７】
１  靴内滅菌消臭乾燥器本体
２  吐出パイプ
３  操作パネル
４  空気取り入れ部及びフィルター
５  オゾン、温風及び送風吐出口
６  オゾン、温風及び送風吐出スリット
７  防振ゴム
８  靴感知センサ
９  排気用溝
１０  コンデンサー
１１  温風発生装置
１２  オゾン発生装置
１３  送風ファン
１４  空気取り入れ口
１５  メンテナンス用蓋
１６  ユニット設置ボックス
１７  温度センサ
１８  長靴
【図１】
2008281318.tif 000003
【図２】
2008281318.tif 000004
【図３】
2008281318.tif 000005
【図４】
2008281318.tif 000006
【図５】
2008281318.tif 000007
【図６】
2008281318.tif 000008
【図７】
2008281318.tif 000009